(57)【要約】      （修正有）【課題】納骨室内と外気とを連通させる換気路を備えた墓石において、換気路の墓石表面側に視認される通気口を、外観的に墓石と一体感を備えて通気口の不自然さを感じさせない通気口構造を提供する。【解決手段】通気口を、通気口金具５の円筒状本体５１が嵌挿する表面側通気路３に形成すると共に、前記表面側通気路３における外方側を通気口金具５の鍔部５３等を係止する適宜な深さの装着凹部４（金具装着凹部４１、蓋板装着凹部４２）に形成し、金具装着凹部４１に所定の通気口金具５を装着すると共に、通気口金具５の外方側の蓋板装着凹部４２に、墓石と同質材で形成した通気孔６１を備えた蓋板６を、墓石１の表面と一致させて装着する。【選択図】図２
0003207588.tif 000002
【実用新案登録請求の範囲】
【請求項１】
納骨室と繋がる換気路の墓石表面に設ける通気口を、通気口金具の円筒状本体が嵌挿する表面側通気路に形成すると共に、前記表面側通気路における外方側を通気口金具の鍔部等を係止する適宜な深さの装着凹部に形成し、前記装着凹部に所定の通気口金具を装着すると共に、装着凹部内における通気口金具の外方側に、墓石と同質材で形成した通気孔を備えた蓋板を、墓石表面と一致させて装着してなることを特徴とする墓石の通気口構造。
【請求項２】
装着凹部を金具装着凹部と蓋板の厚さと一致する深さの蓋板装着凹部の二段に形成した請求項１記載の墓石の通気口構造。
【請求項３】
蓋板を家紋様に形成してなる請求項１又は２記載の墓石の通気口構造。
【考案の詳細な説明】
【技術分野】
【０００１】
本考案は、墓石の通気口構造に関するものである。
【背景技術】
【０００２】
墓石において、納骨空間の空気の出入りを可能とする換気路を設けることが知られている（特許文献１，２）。これらの換気路の入口側（通気口）には、虫や小動物の侵入を防止するために通気口金具を装着している。
【０００３】
通気口金具は、通気口内（換気路）に嵌挿可能な円筒状本体に防虫網を張着すると共に、円筒状本体に通気口より大径の鍔部を設けるか、大径のガラリ板を設けて、通気口に装着可能としている。
【０００４】
前記の通気口金具は直接通気口に設けているために露出するので、その外観処理手段として、特許文献１には、操作部を付設した開閉板を設けると共に、前記開閉板を家紋形状に形成することが提案されている。
【０００５】
また特許文献２には、円筒状本体が挿入鍔部及びガラリ板が嵌挿される通気口の外側に、鍔部又はガラリ板が納まる開口部を設ける構造が提案されている。
【先行技術文献】
【特許文献】
【０００６】
【特許文献１】特開２０００−１９２６９０号公報。
【特許文献２】登録実用新案３１２０５０７号公報。
【考案の概要】
【考案が解決しようとする課題】
【０００７】
墓石に設けた通気口は納骨室と繋がっているので、墓参り時の雰囲気を壊さないためにも通気路は隠蔽したほうが良い。この対応として前記した特許文献１，２の外観処理手段を採用したとしても、一般に通気口金具は屋外設置の耐久性を考慮してステンレス製金具が採用されており、納骨室と繋がっている通気口の位置が直ぐに知られてしまう。前記の特許文献１，２に示された外観処理手段を採用しても、墓石の質感が異なる箇所であるので必ずしも良好な隠蔽手段とは言えない。
【０００８】
そこで本考案は、外観的に墓石と一体感を備えて通気口の不自然さが外観から認められ難い新規な通気口構造を提案したものである。
【課題を解決するための手段】
【０００９】
本考案の請求項１記載の墓石の通気口構造は、納骨室と繋がる換気路の墓石表面に設ける通気口を、通気口金具の円筒状本体が嵌挿する表面側通気路に形成すると共に、前記表面側通気路における外方側を通気口金具の鍔部等を係止する適宜な深さの装着凹部に形成し、前記装着凹部に所定の通気口金具を装着すると共に、装着凹部内における通気口金具の外方側に、墓石と同質材で形成した通気孔を備えた蓋板を、墓石表面と一致させて装着してなることを特徴とするものである。
【００１０】
而して装着凹部の底面（通気路開口端周面）に通気口金具の鍔部等が当接して通気路開口個所に通気口金具が装着され、更にその外側に蓋板を装着凹部に嵌合装着するもので、墓石外観における通気口箇所は、墓石と面一の同質材で塞がれることになり、外観的に目立たなくなる。
【００１１】
また本考案の請求項２記載の墓石の通気構造は、特に前記装着凹部を金具装着凹部と蓋板の厚さと一致する深さの蓋板装着凹部の二段に形成したもので、通気口金具の前端部分（鍔部）は金具装着凹部内に納まり、蓋体は蓋体装着凹部を充たすように装着され、蓋体の装着作業が正確に且つ迅速に行うことができる。
【００１２】
また本考案の請求項３記載の墓石の通気構造は、特に蓋板を家紋様に形成してなるもので、単に通気孔を形成するものではなく、家紋様の外観とすることで通気孔の違和感を減ずることができる。
【考案の効果】
【００１３】
本考案の構成は上記のとおり通気口金具を隠蔽する蓋板を墓石同質材で形成してなるもので、墓石における通気口の存在を目立たせないようにしたものである。
【図面の簡単な説明】
【００１４】
【図１】本考案の実施形態の外観図。
【図２】同一部切断説明図。
【図３】同組み込み説明図。
【考案を実施するための形態】
【００１５】
次に本考案の実施形態について説明する。墓石の通気口構造は、墓石１内の納骨室（図示せず）と外気とを連通する換気路２は、当該墓石の全体構成及び墓石の何処に通気口を設ける等から任意に選択される位置に所定の内部構造を以て形成される。
【００１６】
本考案の墓石の通気口構造は、換気路２が何れの構成であっても、また当該換気路２の表面口となる通気口が中台、芝台、香炉等のいずれの位置に形成されるとしても、全ての通気口に適用されるものである。
【００１７】
その通気口構造は、墓石１側に、換気路２の表面側（外方側）に所定の通気路３を形成し、前記通気路３の外方側に所定の装着凹部４を設け、この装着凹部４に通気口金具５及び蓋板６を装着するものである。
【００１８】
通気口金具５は既存のものと同様な構造を具備したものであり、その構成は筒状本体５１の前端に通路を塞ぐように網部５２を設けると共に、鍔部５３を周設したものである（尚網付ガラリ板や通気孔付前板に置き替えることもできる）。また筒状本体５１の外周には装着用板バネ５４を突設してなる。
【００１９】
蓋板６は、墓石１と同質材（同一石材）で形成したもので、前記通気口金具５の鍔部５３の外径より大径に形成した円板状で、適宜箇所に通気孔６１を設けるものであるが、蓋板６全体が家紋様となるように表面を凹凸形状に形成し、目立たない位置に通気孔６１を形成し、或いは通気孔６１による抜き模様で家紋様に形成する。
【００２０】
通気路３は、前記の通気口金具５の筒状本体５１が嵌挿される内径で形成され、装着凹部４は、金具装着凹部４１と蓋板装着凹部４２の二段構成としたものである。金具装着凹部４１は通気口金具５の鍔部５３が納まる大きさ（径及び深さ）で、蓋板装着凹部４２は蓋板６の厚みに対応した深さ及び蓋板６の外径に対応するように設けたものである。
【００２１】
而して通気口金具５の筒状本体５１を通気路３に嵌挿して押し込むと、鍔部５３が金具装着凹部４１の底面に当接して通気口金具５が通気路３に装着される。次に蓋板６を蓋体装着凹部４２に嵌合すると、蓋板６は、墓石1の表面と面一に装着される。
【００２２】
従って通気口を墓石１の何処に設けたとしても、当該通気口の表面は通気孔６１を備えた蓋板６で塞がれ、且つ蓋板６が墓石１と同質材であるから、当該通気口は目立つことが無い。
【００２３】
また本考案は前記の実施形態に限定されるものではなく、通気口金具５は通気路３に装着できるものであれば良い。また装着凹部４は一段でも良いし、蓋板６の形状と対応して非円形（多角形も含む）でも良い。
【符号の説明】
【００２４】
１      墓石
２      換気路
３      通気路
４      装着凹部
４１    金具装着凹部
４２    蓋板装着凹部
５      通気口金具
５１    筒状本体
５２    網部
５３    鍔部
５４    装着用板バネ
６      蓋板
６１    通気孔
【図１】
0003207588.tif 000003
【図２】
0003207588.tif 000004
【図３】
0003207588.tif 000005